(57)【要約】【課題】  透光性ハウジング部及び放熱性ハウジング部自体を把持して使用可能な直管型ＬＥＤを用いた携帯型のＬＥＤ懐中電灯を提供すること。【解決手段】  直管型ＬＥＤを内部に配した柱状、かつ、使用者が把持可能な充電型のＬＥＤ懐中電灯１であって、側面部１ａにおいて、一方の底面部１ｂ近傍から他の底面部１ｂ近傍にかけて、内部の直管型ＬＥＤから発される光を外部に透過可能な透光性ハウジング部２と、透光性ハウジング部２以外の前記側面部を占める放熱性ハウジング部３を備え、放熱性ハウジング部３の外部には、ＬＥＤ懐中電灯１の外側に突出し、ＬＥＤ懐中電灯１の軸方向に沿うように配された複数条のフィン１３ａを備える。【選択図】図１
0003194491.tif 000002
【実用新案登録請求の範囲】
【請求項１】
直管型ＬＥＤを内部に配した柱状、かつ、使用者が把持可能な充電型のＬＥＤ懐中電灯であって、
当該ＬＥＤ懐中電灯は側面部において、一方の底面部近傍から他の底面部近傍にかけて、前記ＬＥＤ懐中電灯の内部に配された前記直管型ＬＥＤから発される光を外部に透過可能な透光性ハウジング部、
当該透光性ハウジング部以外の前記側面部を占める放熱性ハウジング部を備え、
前記透光性ハウジング部は、前記ＬＥＤ懐中電灯の軸方向に対して直交方向の断面視、円弧状に構成され、
前記放熱性ハウジング部は、前記ＬＥＤ懐中電灯の軸方向に対して直交方向の断面視、前記ＬＥＤ懐中電灯の外側部分が、対向する一対の壁部と、一の当該壁部と他の当該壁部の一端に連続する円弧状の折り返し部からなる略Ｕ字状に構成されて内部にバッテリー及びＬＥＤ作動回路を格納し、かつ、前記略Ｕ字の両端部の間に介されるように平坦なプレート部が配されて、当該プレート部にＬＥＤ実装回路基板が載置され、かつ、前記透光性ハウジング部の両端部が前記Ｕ字状の前記放熱性ハウジング部の前記両端部に固定され、
前記壁部は、前記ＬＥＤ懐中電灯の外側に突出して当該ＬＥＤ懐中電灯の軸方向に沿うように配された複数条のフィンを備え、
当該複数条のフィンは、前記断面視、当該放熱性ハウジング部の両端部から前記略Ｕ字状の折り返し点に向けて、全高が漸次縮小すること
を特徴とするＬＥＤ懐中電灯。
【請求項２】
前記複数条のフィンは、前記断面視、前記透光性ハウジング部の外縁と同等の全高であって、かつ、前記透光性ハウジング部よりも前記ＬＥＤ懐中電灯外側に突出しないことを特徴とする請求項１に記載のLED懐中電灯。
【請求項３】
前記LED懐中電灯は、スマートフォン及び携帯電話を含む他の電子機器を充電可能であることを特徴とする請求項１又は請求項２に記載のＬＥＤ懐中電灯。
【請求項４】
前記ＬＥＤ懐中電灯のコネクタ類及び／又はスイッチ類は、前記底面部に配されることを特徴とする請求項１乃至請求項３のうち、いずれか１に記載のＬＥＤ懐中電灯。
【請求項５】
前記ＬＥＤ懐中電灯は、前記折り返し部の外側又は内側にマグネット部をさらに備えることを特徴とする請求項１乃至請求項４のうち、いずれか１に記載のＬＥＤ懐中電灯。
【請求項６】
前記ＬＥＤ実装回路基板は、前記ＬＥＤ懐中電灯の軸方向に沿って４つ以上のＬＥＤが配され、当該４つ以上のＬＥＤは、異なる発光色のＬＥＤが互い違いに配されて、同じ発光色のＬＥＤのみを選択的に点灯することにより、発光色を選択することが可能であることを特徴とする請求項１乃至請求項５のうち、いずれか１に記載のＬＥＤ懐中電灯。
【考案の詳細な説明】
【技術分野】
【０００１】
本考案は、透光性ハウジング部及び放熱性ハウジング部自体を把持して使用可能な直管型ＬＥＤを用いた携帯型のＬＥＤ懐中電灯に関する。
【背景技術】
【０００２】
近年においては、白熱電球に変わり、消費電力が少なく寿命の長いＬＥＤランプが普及してきている。
【０００３】
また、白熱電球ばかりか、蛍光灯に変わり、直管型のＬＥＤを用いて蛍光灯のようなランプを実現する直管型形式のＬＥＤ照明装置も普及し始めている。
【０００４】
ＬＥＤは、多数配置することにより蛍光灯とほぼ同じか、それ以上の発光輝度を得ることができる。しかも、同じ発光輝度を有する蛍光灯とその消費電力について比較した場合、ＬＥＤを使用した照明装置では、一般的な蛍光灯の消費電力の１／２程度と少なくすることができる。
【０００５】
また、ＬＥＤは、蛍光灯に比べてランプの寿命を大幅に延ばすことができ、ランプ交換の手間がなくなるばかりか、ランプに対する信頼性が格段に向上する。
【考案の概要】
【考案が解決しようとする課題】
【０００６】
しかしながら、従来、既存の蛍光灯器具に装着して使用することのできる直管型形式のＬＥＤ照明装置における課題としては、ＬＥＤから発せられる大量の熱を如何に放出させてＬＥＤの寿命を延ばすかが大きな問題となっている。
【０００７】
即ち、この種の直管型ＬＥＤ式照明装置においては、発光輝度を高めるためにＬＥＤの実装数を多くすればするほどＬＥＤ点灯時の発熱も大きくなり、ＬＥＤ実装回路基板に対する負荷も大きくなるといった欠点を有している。
【０００８】
そのため、天井等に設置する直管型ＬＥＤ式照明装置と異なり、他の発熱源となるバッテリー及びＬＥＤ作動回路をも、ＬＥＤ実装回路基板の近傍に配置する必要がある直管型ＬＥＤを用いた携帯型のＬＥＤ懐中電灯は実現が困難な実情が存在していた。
【０００９】
また、図５は従来の誘導灯の概要を示す斜視図であって、図５に示す誘導灯は工事現場における警備員等が車両の誘導等に用いるものであり、誘導灯１０１は、使用者が把持する柄１０２と、柄１０２の一端に連続する点灯部１０３から構成され、柄１０２と点灯部１０３とは明確に区分され、点灯部１０３を把持することは想定していない。
【００１０】
この場合、アウトドアシーンでの使用を想定すると、発光輝度を確保するべく、直管型ＬＥＤを用い、また、携行性及び取り回しを含めた使い勝手の良さを考慮すると、柄１０２の部分を設けず、直管型ＬＥＤが内蔵される点灯部自信を把持して使用可能なＬＥＤ懐中電灯が望まれるが、前述の如くＬＥＤ点灯時の発熱によるＬＥＤ実装回路基板に対する負荷をどのように防止するか、また、ＬＥＤ懐中電灯の点灯部自信を把持する使用者が火傷等することなく安全な使用をどのように確保するかが課題となっている。
【００１１】
そこで、本考案は、上記事情に鑑みてなされたものであって、透光性ハウジング部及び放熱性ハウジング部自体を把持して使用可能な直管型ＬＥＤを用いた携帯型のＬＥＤ懐中電灯を提供することを目的とする。
【課題を解決するための手段】
【００１２】
上記目的達成のため、本考案のＬＥＤ懐中電灯は、直管型ＬＥＤを内部に配した柱状、かつ、使用者が把持可能な充電型のＬＥＤ懐中電灯であって、当該ＬＥＤ懐中電灯は側面部において、一方の底面部近傍から他の底面部近傍にかけて、前記ＬＥＤ懐中電灯の内部に配された前記直管型ＬＥＤから発される光を外部に透過可能な透光性ハウジング部、当該透光性ハウジング部以外の前記側面部を占める放熱性ハウジング部を備え、前記透光性ハウジング部は、前記ＬＥＤ懐中電灯の軸方向に対して直交方向の断面視、円弧状に構成され、前記放熱性ハウジング部は、前記ＬＥＤ懐中電灯の軸方向に対して直交方向の断面視、前記ＬＥＤ懐中電灯の外側部分が、対向する一対の壁部と、一の当該壁部と他の当該壁部の一端に連続する円弧状の折り返し部からなる略Ｕ字状に構成されて内部にバッテリー及びＬＥＤ作動回路を格納し、かつ、前記略Ｕ字の両端部の間に介されるように平坦なプレート部が配されて、当該プレート部にＬＥＤ実装回路基板が載置され、かつ、前記透光性ハウジング部の両端部が前記略Ｕ字状の前記放熱性ハウジング部の前記両端部に固定され、前記壁部は、前記ＬＥＤ懐中電灯の外側に突出して当該ＬＥＤ懐中電灯の軸方向に沿うように配された複数条のフィンを備え、当該複数条のフィンは、前記断面視、当該放熱性ハウジング部の両端部から前記Ｕ字状の折り返し点に向けて、全高が漸次縮小することを特徴とする。
【００１３】
また、本考案の前記複数条のフィンは、前記断面視、前記透光性ハウジング部の外縁と同等の全高であって、かつ、前記透光性ハウジング部よりも前記ＬＥＤ懐中電灯外側に突出しないことを特徴とする。
【００１４】
また、本考案の前記LED懐中電灯は、スマートフォン及び携帯電話を含む他の電子機器を充電可能であることを特徴とする。
【００１５】
また、本考案の前記ＬＥＤ懐中電灯のコネクタ類及び／又はスイッチ類は、前記底面部に配されることを特徴とする。
【００１６】
また、本考案の前記ＬＥＤ懐中電灯は、前記折り返し部の外側又は内側にマグネット部をさらに備えることを特徴とする。
【００１７】
また、本考案の前記ＬＥＤ実装回路基板は、前記ＬＥＤ懐中電灯の軸方向に沿って４つ以上のＬＥＤが配され、当該４つ以上のＬＥＤは、異なる発光色のＬＥＤが互い違いに配されて、同じ発光色のＬＥＤのみを選択的に点灯することにより、発光色を選択することが可能であることを特徴とする。
【考案の効果】
【００１８】
本考案のＬＥＤ懐中電灯によれば、放熱性ハウジング部を利用した効率の良い放熱構造により、ＬＥＤ懐中電灯がＬＥＤの点灯により過度に加熱することがないため、透光性ハウジング部及び放熱性ハウジング部自体を把持してＬＥＤ懐中電灯の使用が可能であり、柄の部分を設ける必要もないことから、直管型ＬＥＤを用いながらも非常にコンパクトな構成で使い勝手の良いＬＥＤ懐中電灯を実現可能である。
【００１９】
また、放熱性ハウジング部に配された複数条のフィンは、ＬＥＤ回路実装基板に近い位置になる程に、全高が高く設定されているため、バッテリーや、ＬＥＤ作動回路の熱がＬＥＤ実装回路及びＬＥＤ自体へ伝わることが防止されるため、ＬＥＤの寿命を長く保つことができる。
【００２０】
透光性ハウジング部は、円弧上に構成され、かつ、放熱性ハウジング部が略Ｕ字状に構成され、かつ、透光性ハウジング部の壁部に配された複数条のフィンは、断面視、放熱性ハウジング部の両端部からＵ字状の折り返し点に向けて、全高が漸次縮小することにより、非常に手に馴染みやすく、把持しやすい形状となっており、使い勝手のＬＥＤ懐中電灯を実現可能である。
【００２１】
特に、透光性ハウジング部の複数条のフィンは、断面視、透光性ハウジング部よりもＬＥＤ懐中電灯外側に突出しないことから、放熱性ハウジング部側を親指と人差し指との間の水かき部分に隣接するように把持することにより、非常に心地よく、手に馴染んだ状態でＬＥＤ懐中電灯を使用可能である。
【００２２】
また、本考案のＬＥＤ懐中電灯は、放熱性ハウジング部の折り返し部にマグネット板からなるマグネット部を配したことにより、把持して使用する場合の他、所望の部分に磁力を用いて固定可能である。
【００２３】
例えば、本考案のＬＥＤ懐中電灯は、白色のみならず、赤色等の他色の点灯も可能であり、かつ、点滅動作が可能であるため、事故時のような緊急時に車の後部にマグネットを用いて固定することにより、後続車両の追突等を防止することも可能である。
【００２４】
また、本考案のＬＥＤ懐中電灯は、白色のみならず、赤色等の他色の点灯も可能であり、かつ、点滅動作が可能であるため、山等における遭難時においても、夜間、自己の位置を知らせるのに適しており、特に、透光性ハウジング部により、ＬＥＤの光を広角に拡散させているため、広い範囲から点灯（点滅）するＬＥＤ懐中電灯を容易に発見することが可能であり、かつ、指向性の鋭いＬＥＤを利用していることにより、遠方からも視認しやすく救助率の向上にも資するものである。
【００２５】
また、本考案のＬＥＤ懐中電灯は、携帯型であって、透光性ハウジング部及び放熱性ハウジング部自体を把持してＬＥＤ懐中電灯の利用が可能であり、アウトドアシーンに適している。
【００２６】
また、直管型ＬＥＤを用いていることから、点灯時間も非常に長く、長時間アウトドアでの使用を可能とするものであり、かつ、本考案のLED懐中電灯は、携帯電話を含む他の電子機器を充電可能であるため、すぐにバッテリーが切れるスマートフォン等の携帯型電子機器に対しての充電をも行うことが可能であり、アウトドアシーンにおける充電池としての役割も果たすことが可能である。
【００２７】
また、本考案のＬＥＤ懐中電灯は、ＬＥＤを光源とするため、紫外線を生じないため、虫が寄ってくることがないため、アウトドアシーンにおける使用に適している。
【００２８】
また、本考案のＬＥＤ懐中電灯のコネクタ類及び／又はスイッチ類は、前記底面部に配されるため、ＬＥＤ懐中電灯の側面部を自在に把持することが可能であり、コネクタ類及びスイッチ類が使用時における把持の邪魔となることがない。
【図面の簡単な説明】
【００２９】
【図１】本考案の実施形態に係るＬＥＤ懐中電灯の前方斜視図である。
【図２】図１のＬＥＤ懐中電灯の使用状態を示す後方斜視図である。
【図３】図１のＬＥＤ懐中電灯の分解概要斜視図である。
【図４】図１のＬＥＤ懐中電灯の中央断面図である。
【図５】従来の誘導灯の概要を示す斜視図である。
【考案を実施するための形態】
【００３０】
以下図面を参照して、本考案によるＬＥＤ懐中電灯を実施するための形態について説明する。
【００３１】
［ＬＥＤ懐中電灯の構成］
本考案の実施形態に係るＬＥＤ懐中電灯について、図１乃至図４を用いて説明する。図１は、本考案の実施形態に係るＬＥＤ懐中電灯の前方斜視図であり、図２は、図１のＬＥＤ懐中電灯の使用状態を示す後方斜視図であり、図３は、図１のＬＥＤ懐中電灯の分解概要斜視図であり、図４は、図１のＬＥＤ懐中電灯の中央断面図である。
【００３２】
図１乃至図３に示すように、本考案のＬＥＤ懐中電灯１は、直管型ＬＥＤを構成するＬＥＤ回路実装基板５（図３）を内部に配した柱状に構成されて、使用者が把持可能となっている。
【００３３】
ＬＥＤ懐中電灯１は、側面部１ａ（図１及び図２）において、一方の底面部１ｂ近傍（図１及び図２）から他の底面部１ｂ近傍にかけて、ＬＥＤ懐中電灯１の内部に配された直管型に構成されるＬＥＤ回路実装基板５に多数配されたＬＥＤ５ａから発される光を外部に透過可能な透光性ハウジング部２とそれ以外の側面部１ａを占めるヒートシンクとしての機能をも有する放熱性ハウジング部３とを大きく備えている。
【００３４】
この透光性ハウジング部２と放熱性ハウジング部３は、互いの両端部を接続することにより、柱状のＬＥＤ懐中電灯１を構成するものである。
【００３５】
［口金部の構成］
また、ＬＥＤ懐中電灯１の両方の底面部１ｂには口金部７が配されている。口金部７は、ＬＥＤ懐中電灯１の一端側に第１の口金部７ａが配され、他端側に第２の口金部７ｂが配されている。
【００３６】
第１の口金部７ａであって、ＬＥＤ懐中電灯１の底面部１ｂとなる部分には、操作用のボタン類７ａ１及びＬＥＤ懐中電灯１の状態確認用の発光部７ａ２が配されている。これらボタン類７ａ１の操作により、ＬＥＤの点灯のＯＮ／ＯＦＦや、点灯色の変更、発光輝度の変更等が可能となっており、また、発光部７ａ２の発光色の変化により、ＬＥＤ懐中電灯の状態を確認可能となっている。
【００３７】
第２の口金部７ｂであって、ＬＥＤ懐中電灯１の底面部１ｂとなる部分には、ＬＥＤ懐中電灯１を充電するため、又は、スマートフォンや、携帯電話等の他の電子機器類を充電するためのコネクタ類７ｂ１が配されている。また、充電状態を表示するための発光部７ｂ２もコネクタ類７ｂ１の近傍に配されている。
【００３８】
［透光性ハウジン部の構成］
透光性ハウジング部２について説明するに、図４に示すように、透光性ハウジング部２は、ＬＥＤ懐中電灯１の内部に配された直管型に構成されるＬＥＤ回路実装基板５に多数配されたＬＥＤ５ａから発される光を外部に透過可能とするべく、ポリカーボネート等の透光性の素材によって構成されている。
【００３９】
また、ＬＥＤ光源は、かつ、発光輝度が高いことから肉眼により直視できないため、透光性ハウジング部３には、拡散剤が混ぜられて、ＬＥＤの光が拡散し、肉眼によりＬＥＤ光源を直視できない透光性となっている。
【００４０】
また、透光性ハウジング部３は、ＬＥＤ懐中電灯１の軸方向に対して直交方向の断面視、円弧状に構成され、ＬＥＤ光源からの光が透過する透光空間２２を内部に形成している。両端部においては、放熱性ハウジング部３との接続用の係合部２ａが設けられて、この係合部２ａの凹部に放熱性ハウジング部３の係合部１３ｂが係合することとなる。
【００４１】
［放熱性ハウジン部の構成］
放熱性ハウジング部３は、アルミニウム等によって構成されて、ＬＥＤ実装回路起案５や、バッテリー及びＬＥＤ作動回路から生じる熱を外部に逃がすヒートシンクとしての機能を担うものであり、ＬＥＤ懐中電灯１の軸方向に対して直交方向の断面視、ＬＥＤ懐中電灯１の外側部分が、対向する一対の壁部１３と、一の壁部１３と他の壁部１３の一端に連続する円弧状の折り返し部１５からなる略Ｕ字状に構成されている。
【００４２】
また、放熱性ハウジング部３は、略Ｕ字状の収納空間２３が形成され、内部にバッテリー２５及びＬＥＤ作動回路（図４において、バッテリーと同軸状に配されるため図示せず）を格納可能となっている。
【００４３】
尚、バッテリー２５や、ＬＥＤ作動回路は、同軸状に配されるため、円筒状のシリコンケース内にともに挿入されて、被覆されることにより、シリコンケールによる衝撃吸収効果を期待できるとともに、防水性を高めることが可能である。また、バッテリー２５は例えば、リチウムイオン電池を使用可能である。
【００４４】
また、バッテリー２５及びＬＥＤ作動回路を被覆したシリコンケースと、放熱性ハウジング部３との間（即ち、図４におけるバッテリー２５の外側の収納空間２３）に軟度の高い樹脂系の封入剤２６を入れてバッテリー等を被覆したシリコンケースを固定して、落下時の衝撃を吸収させることが可能である。
【００４５】
また、放熱性ハウジング部３は、断面視、略Ｕ字の両端部に接続されて、この両端部の間に介されるように平坦に構成されたプレート部１６が配されている。
【００４６】
このプレート部１６には、断面視、ＬＥＤ実装回路基板５が載置される。即ち、プレート部１６の両端部に設けられた嵌合部１６ａにＬＥＤ実装回路基板５を嵌合させることによって、プレート部１６に接触した状態でＬＥＤ実装回路基板５を固定することが可能であり、ＬＥＤ実装回路基板５の熱をヒートシンクとしての放熱性ハウジング部３に逃がすことが可能である。
【００４７】
また、略Ｕ字状の放熱性ハウジング部３の両端部には、透光性ハウジング部２の両端部が固定される。即ち、略Ｕ字状の放熱性ハウジング部３の両端部には、透光性ハウジング部２の両端部に配された係合部２ａの凹部に係合する係合部１３ｂが配されており、互いの係合部２ａ、係合部１３ｂを係合することにより、透光性ハウジング部２と放熱性ハウジング部３の連結が可能となる。
【００４８】
［放熱性ハウジン部外側の構成］
図１及び図２、図４に示すように、略Ｕ字状の放熱性ハウジング部３は、外部において、複数条のフィン１３ａ、複数条のグリップ１５ａ及びマグネット部８が設けられている。
【００４９】
複数条のフィン１３ａは、放熱性ハウジング部３の両方の壁部１３の外側において、ＬＥＤ懐中電灯１の外側に突出し、ＬＥＤ懐中電灯１の軸方向に沿うように立設されており、本実施形態においては、６条のフィン１３ａが配されている。フィン１３ａの存在により表面積を増大させて放熱作用の向上を図るものである。
【００５０】
図４に示すように、複数条のフィン１３ａは、断面視、放熱性ハウジング部３の両端部から略Ｕ字状の折り返し点（折り返し部１５）に向けて、全高が漸次縮小する構成となっている。即ち、ＬＥＤ実装回路基板５に近づけば近づくほど複数条のフィン１３ａの全高が高くなっており、ＬＥＤ実装回路基板５近傍になればなるほど放熱効果が高まるとともに、ＬＥＤ懐中電灯１を把持する使用者の手に馴染みやすい構成となっている。
【００５１】
また、図４に示すように、複数条のフィン１３ａは、折り返し部１５側に向けて若干倒れて壁部１３に立設されており、使用者の手にさらに馴染みやすい構成となっている。
【００５２】
さらに、複数条のフィン１３ａは、断面視、透光性ハウジング部２よりもＬＥＤ懐中電灯１の外側に突出しない構成となっている。即ち、最も全高の高いフィン１３ａは、透光性ハウジング部２側となるが、この最も全高の高いフィン１３ａが、図４中の一点鎖線Ｌに示すように、透光性ハウジング部２の外縁と同等かつそれよりもＬＥＤ懐中電灯１の外側に突出しない構成となっており、これによりやはり使用者の手にさらに馴染みやすい構成となっている。
【００５３】
また、図１及び図２、図４に示すように複数条のグリップ１５ａは、略Ｕ字状の壁部１３以外の場所、即ち、折り返し部１５の外側において、ＬＥＤ懐中電灯１の外側に僅かながらに突出し、ＬＥＤ懐中電灯１の軸方向に沿うように立設されており、本実施形態においては、８条のフィン１３ａが、折り返し部１５の頂点の両脇に４条ずつ配されている。これにより、使用者がＬＥＤ懐中電灯を把持する場合にグリップとなって把持感を向上させるものである。
【００５４】
また、折り返し部１５の頂点においては、その外部にマグネット部８が配されており、磁力による金属への固定が可能となっている。尚、変形例として、マグネット部８を折り返し部１５の内側に配することも可能である。
【００５５】
［ＬＥＤ実装回路基板の構成］
ＬＥＤ実装回路基板５について説明するに、図３に示すように、ＬＥＤ実装回路基板５には多数のＬＥＤ５ａが、ＬＥＤ懐中電灯１の軸方向に沿って実装されている。この光源としてのＬＥＤ５ａは、少なくとも４つ以上必要であり、この多数のＬＥＤ５ａは、例えば、白色と赤色のように異なる発光色のＬＥＤ５ａ（５ａ１（例えば、白色ＬＥＤ），５ａ２（例えば、赤色ＬＥＤ））が互い違いに配されて、同じ発光色のＬＥＤ５ａのみを選択的に点灯することにより、発光色を選択することが可能であり、その操作は、第１の口金部７ａに配されたボタン類７ａ１の操作によって可能である（図１）。
【００５６】
［その他］
ＬＥＤ懐中電灯１は、透光性ハウジング部２、放熱性ハウジング部３、口金部７の接続にあたって、各接続部全体に樹脂製接着剤や、シール剤が使用されて防水構造とされ、かつ、口金部７に配されるコネクタ類７ｂ１には、防水用の樹脂製蓋部を適宜取り付けることにり、ＬＥＤ懐中電灯１内部への液体の侵入を防止することが可能である。
【００５７】
また、ＬＥＤ懐中電灯１は、柄の部分自体が透光性ハウジング部２を通じて発光するため、柄単体の部分を設ける必要がないため、１５ｃｍ程度〜３０ｃｍ程度の非常にコンパクトな構成とすることが可能である。
【００５８】
また、ＬＥＤ作動回路は、ＡＣ／ＤＣコンバータを含む整流回路を備えており、ここには、交流電流、例えば１００ボルトの交流電流が、入力用のコネクタ（コネクタ類７ｂ１）を介して供給される。整流回路では、交流電流を所定電圧の直流電流に変換し、変換後の直流電流をバッテリー２５に供給する。このバッテリーに充電された直流電流を用いてＬＥＤａ５を発光させる。
【００５９】
また、ＬＥＤ懐中電灯１は、スマートフォン及び携帯電話を含む他の電子機器を充電可能であり、バッテリー２５に充電された直流電流を用い、これをＤＣ／ＤＣコンバータを含む整流回路により、所定電圧の直流電流に変換し、変換後の直流電流を出力用のコネクタ（コネクタ類７ｂ１）を介して電子機器に供給可能である。
【００６０】
この考案は、その本質的特性から逸脱することなく数多くの形式のものとして具体化することができる。よって、上述した実施形態は専ら説明上のものであり、本考案を制限するものではないことは言うまでもない。
【符号の説明】
【００６１】
１        ＬＥＤ懐中電灯
１ａ      側面部
１ｂ      底面部
２        透光性ハウジング部
２ａ      係合部
３        放熱性ハウジング部
５        ＬＥＤ回路実装基板
５ａ      ＬＥＤ
７        口金部
７ａ      第１の口金部
７ｂ      第２の口金部
７ａ１    ボタン類
７ａ２    発光部
７ｂ１    コネクタ類
７ｂ２    発光部
８        マグネット部
１３      壁部
１３ａ    フィン
１３ｂ    係合部
１５      折り返し部
１５ａ    グリップ
１６      プレート部
１６ａ    嵌合部
２２      透光空間
２３      収納空間
２５      バッテリー
２６      封入剤
１０１    誘導灯
１０２    柄
１０３    点灯部
【図１】
0003194491.tif 000003
【図２】
0003194491.tif 000004
【図３】
0003194491.tif 000005
【図４】
0003194491.tif 000006
【図５】
0003194491.tif 000007
【手続補正書】
【提出日】平成26年9月17日(2014.9.17)
【手続補正１】
【補正対象書類名】実用新案登録請求の範囲
【補正対象項目名】請求項３
【補正方法】変更
【補正の内容】
【請求項３】
前記ＬＥＤ懐中電灯は、前記バッテリーに充電された直流電流を所定電圧の直流電流に変換するＤＣ／ＤＣコンバータと、
前記ＬＥＤ懐中電灯の表面に配された出力用コネクタとを備え、
前記ＤＣ／ＤＣコンバータ及び前記出力用コネクタを介して変換後の前記直流電流を、スマートフォン及び携帯電話を含む他の電子機器に供給して充電可能であることを特徴とする請求項１又は請求項２に記載のＬＥＤ懐中電灯。
【手続補正２】
【補正対象書類名】明細書
【補正対象項目名】００１４
【補正方法】変更
【補正の内容】
【００１４】
また、本考案の前記ＬＥＤ懐中電灯は、前記バッテリーに充電された直流電流を所定電圧の直流電流に変換するＤＣ／ＤＣコンバータと、前記ＬＥＤ懐中電灯の表面に配された出力用コネクタとを備え、前記ＤＣ／ＤＣコンバータ及び前記出力用コネクタを介して変換後の前記直流電流を、スマートフォン及び携帯電話を含む他の電子機器に供給して充電可能であることを特徴とする。